【事件の表示】
　平成　８年特許願第１３５２７３号「似顔絵作成装置」拒絶査定に対する審判事件［平成　９年１２月１２日出願公開、特開平　９−３１９８８６］について、次のとおり審決する。
【結　論】
　本件審判の請求は、成り立たない。
【理　由】
  １.手続の経緯・本願発明
　本願は、平成８年５月２９日に出願されたものであって、その請求項１に係る発明（以下「本願発明」という）は、平成１１年５月２０日付け手続補正書で補正された明細書及び図面の記載からみて、特許請求の範囲の請求項１に記載された次のとおりのものである。
「顔の部位を選択し変形して似顔絵を作成する似顔絵作成装置において、
　顔の部位毎にあらかじめ作成した似顔絵の部品であるパーツデータを記憶するパーツ記憶部と、
　前記パーツ記憶部に記憶されたある部位についての前記パーツデータとそれとは別個独立に作成された他の部位についての前記パーツデータとを対パーツデータとして定義する対パーツ定義部と、　描画する前記パーツデータの選択指示に基づいて前記パーツ記憶部または前記対パーツ定義部から該当する前記パーツデータまたは前記対パーツデータを検索するパーツ選択部と、
　検索された前記パーツデータを変形させるための変形の手続きを記憶する変形手続き記憶部と、
　検索された前記対パーツデータ中のある部位についてのパーツデータを変形させるための手続きと、この手続きとは別個独立に定義される手続きである該対パーツデータ中の他の部位についてのパーツデータを変形させるための手続きとからなる変形の手続きを定義する対パーツ変形定義部と、
　前記パーツ選択部において検索された前記パーツデータまたは前記対パーツデータを変形するときの変形指示に基づいて前記変形手続き記憶部の手続きまたは前記対パーツ変形定義部の手続きにより変形を施すパーツ変形部と、
　前記パーツ変形部において変形された前記パーツデータまたは前記対パーツデータを表示装置に描画するパーツ表示部と、を備えることを特徴とする似顔絵作成装置。」
２．引用刊行物
　これに対して、原査定の拒絶理由で引用した特開平８−４４８９８号公報（平成８年２月１６日出願公開。以下「引用例」という。）には、「モンタージュ作成装置」に関し、図面と共に、
　ア.「本発明は、オペレータのイメージを分断することなくパターンを選択することができるモンタージュ作成装置の提供を第１の目的とし、さらに、パターンを選択する際に相対的な比較が容易なモンタージュ作成装置の提供を第２の目的とする」（第２ページ右欄１１行ないし１５行）こと、
　イ．「本発明のモンタージュ作成装置は、髪，目，鼻，口，等の顔の各パーツ毎の複数個のパターンを記憶する記憶手段と、該記憶手段から所望のパーツの所望のパターンを選択する選択手段と、該選択されたパターンに基づいて画面上にモンタージュ画像を表示するモンタージュ画像表示手段とを備えるモンタージュ作成装置において、前記選択手段は、前記モンタージュ画像を表示している画面上の任意の点を指定する任意点指定手段と、該任意点指定手段により指定された点とモンタージュ画像を構成する各パーツの表示位置との対応関係に基づいて、当該指定された点に対応するパーツを判別するパーツ判別手段と、該　パーツ判別手段により判別されたパーツについて、前記記憶手段からパターンの選択を開始可能な状態とする選択開始化手段とを備えた」（第２ページ右欄１８行ないし３１行）こと、
　ウ．「データとしては、髪，目，鼻，口等の顔の各パーツ毎に複数個のパターンが与えられる。各パターンは、アウトラインデータとして与えられている。（中略）なお、目、耳については、右目，左目、右耳，左耳としてそれぞれ左右対象（当審注：「左右対称」の誤記）のデータを同じパターン番号を付して与えておく。これによって、後述の左右連動モードでは、右目のパターン番号を指定するだけで左目も同時に同じパターン番号のものを選択可能になっている」（第３ページ左欄３４行ないし右欄１８行）こと、
　エ．「次に、パーツ選択処理（Ｓ４５）について説明する。この処理は、図１７〜図１９に示すように構成される。まず、パーツ選択処理が開始されると、図１７に示すように、パーツの選択をキー入力で行うかマウスで行うのかを判断し（Ｄ１０）、キー入力の場合には既述の通り、上下カーソルキー３Ｕ，３Ｄの指示に従ってパーツを選択する（Ｄ２０）」（第８ページ左欄３３行ないし３９行）こと、
　オ．「次に、パーツサイズ変更処理（Ｓ５５）について説明する。（中略）まず、マウスの操作を読み込み、移動すべきパーツとして何が指定されているかを特定する（Ｅ１０）。（中略）次に、図２２（Ａ）に示すようなパーツサイズ変更処理メニュー５０を表示する。（中略）次に、マウス及びキーの操作状態から、メニュー５０中でどの状態が選択されかつ確定されたかを判断し（Ｅ６０〜Ｅ１００）、それぞれのサイズへと占有領域を変更する（Ｅ１１０〜Ｅ１５０）（中略）こうしてパーツサイズ変更処理が実行されると、メインルーチン（図６）に示した様に、モンタージュ描画処理（Ｓ１０）が実行される。図２２（Ｂ）は、サイズ変更対象のパーツとして左目が選択され、元々は両目が「やや大」であったところを左目だけ「やや小」へと変更した状態の描画例を示している」（第８ページ右欄３６行ないし第９ページ左欄３２行）こと、　
　カ．「次に、左右連動モード設定処理（Ｓ６５）について説明する。この処理は、図２３のように構成されている。まず、モード変更が指示されたか否かを判断する（Ｆ１０）。（中略）前回のモードが連動であった否かが判断される（Ｆ２０）。前回が「連動」であったなら「非連動」へとモードを変更し（Ｆ３０）、（中略）前回が「非連動」であったなら「連動」へとモードを変更し（Ｆ５０）、左右連動指示欄２５にチェックマークをつける（Ｆ６０）」（第９ページ左欄３３行ないし４４行）こと、
　キ．「次に、パターン選択処理（Ｓ７５）について説明する。この処理は、図２４に示すように構成される。まず、パターン選択の対象パーツが左右の「目」又は「耳」であるか否かを判断する（Ｇ１０）。「ＹＥＳ」と判断された場合には、さらに、ＲＡＭに記憶されているデータに基づいて左右連動モードが設定されているか否かを判断する（Ｇ２０：ＹＥＳ）。そして、左右連動モードに設定されているならば、対のパーツについても強制的にパターン選択対象パーツに設定する（Ｇ３０）。即ち、連動モードがオンとなっているときには、例えば「右目」がパターンの選択対象パーツとして設定されているならば「左目」も強制的に選択対象パーツに設定てしまい、（中略）一方、左右非連動モードに設定されていたり（Ｇ２０：ＮＯ）、「目」、「耳」以外のパーツが選択されいる（Ｇ１０：ＮＯ）ならば、選択されたパーツに対してＧ４０以下の処理をする。続く処理では、まず、パターンの選択をキー入力で行うのかマウスで行うのかを判断し（Ｇ４０）、キー入力の場合には既述のとおり、左右カーソルキー３Ｌ，３Ｒの指示に従ってパターンを選択する」（Ｇ５０）」（第９ページ左欄４７行ないし右欄１７行）こと、
　ク．「次に、パーツ移動処理（Ｓ８５）について説明する。この処理は、図２８に示すように構成されている。パーツ移動処理では、移動対象パーツが何であるかによって制限を設けているので、まずは、移動対象パーツが何であるかを把握する（Ｈ１０）。このＨ１０の処理は、パーツ選択処理においていずれのパーツが選択されているのかを把握するのと同様になされる。（中略）移動対象パーツが左右の「目」又は「耳」であるときには（Ｈ４０：ＹＥＳ）、まず、左右連動モードが設定されているか否かを判断する（Ｈ４２）。（中略）左右連動モードがオン（設定）なら、対のパーツを左右対称位置への移動対象パーツとして設定する（Ｈ５０）。即ち、連動モードがオンとなっているときには、例えば「右目」が移動対象パーツとして設定されているならば「左目」も強制的に移動対象パーツに設定すると共に、左右対称位置へと移動させる様に構成されているのである。続く処理では、左右両方のパーツの移動量を算定する（Ｈ５２）。具体的には、マウスカーソルの垂直・水平方向へのドラッグ操作量そのままの値をオペレータが指定した方のパーツの移動量として算定すると共に、水平方向操作量を符号反転した値をＨ５０で強制的に移動対象パーツに指定した方のパーツ移動量として算定する」（第１０ページ右欄１２行ないし４９行）こと、
　ケ．「連動モードの効果について具体例を示すと、図３０（Ａ）の顔を同図（Ｃ）の様に目の間隔の狭い顔に変更する場合に、同図（Ｂ）に示すように、片目を移動させるというたった一つの操作でよく、非常に簡単となる。しかも、左右対象位置に配置されるので、その位置も正確である」（第１１ページ左欄１６行ないし２１行）こと、が記載されている。
３．対比   
　そこで、本願発明と引用例に記載された発明とを対比すると、
　(a)引用例に記載された発明は、顔の各パーツ毎の複数個のパターンを記憶した記憶手段から所望のパーツの所望のパターンを選択し、選択されたパターンに基づいて画面上にモンタージュ画像（似顔絵）を表示するモンタージュ作成装置である（上記イ参照）から、本願発明とは「顔の部位を選択し変形して似顔絵を作成する似顔絵作成装置」である点で差異がない。
  (b)引用例に記載された発明における記憶手段は、髪，目，鼻，口，等の顔の各パーツ毎の複数個のパターンを記憶するものである（上記イ参照）から、本願発明における「顔の部位毎にあらかじめ作成した似顔絵の部品であるパーツデータを記憶するパーツ記憶部」に相当する。
　(c)同じく引用例に記載された発明は、顔の各パーツ毎の複数個のパターンを記憶する記憶手段（パーツ記憶部）を備え（上記イ参照）、目、耳については、右目，左目、右耳，左耳としてそれぞれ左右対称のデータを同じパターン番号を付して与えておくものであり（上記ウ参照）、右目あるいは右耳、左目あるいは左耳の各データは、それぞれ一方が「ある部位」及び他方が「他の部位」のパーツデータといえ、これら左右対称のパーツデータに同じパターン番号を付して与えておくということは、これら左右対称のパーツデータを対パーツデータとして定義することを意味しており、この定義のための対パーツ定義部を備えることは当業者に明らかであるから、かかる対パーツ定義部は、「他の部位」のパーツデータが「ある部位」のパーツデータとは「別個独立に作成」されたものである点は別として、パーツ記憶部に記憶された「ある部位」についての前記パーツデータと「他の部位」についての前記パーツデータとを対パーツデータとして定義する対パーツ定義部であるという点で、本願発明における「対パーツ定義部」と一致する。
　(d)同じく引用例に記載された発明における選択手段（図６のパーツ選択処理Ｓ４５、及び図７のパターン選択処理Ｓ７５）は、キー入力又はマウス入力により所望のパーツの所望のパターンを選択するものであり（上記イ、エ、キ参照）、パターン選択は、左右非連動モードが設定されているならば、キー入力又はマウスで入力されたパターンを選択し、左右連動モードが設定されているならば、設定された選択対象パーツの対のパーツについても強制的に選択対象パーツに設定し（上記キ参照）、左右連動モードでは、一方（右目）のパターン番号を指定するだけで他方（左目）も同時に同じパターン番号のものを選択可能とするものである（上記ウ参照）から、かかる選択手段は、本願発明における「描画する前記パーツデータの選択指示に基づいて前記パーツ記憶部または前記対パーツ定義部から該当する前記パーツデータまたは前記対パーツデータを検索するパーツ選択部」に相当する。
  (e)　同じく引用例に記載された発明におけるパーツサイズ変更処理（図６、Ｓ５５）は、指定したパーツのサイズを変更するものであり（上記オ参照）、また、パーツ移動処理（図７、Ｓ８５）は、移動対象パーツの移動処理を行うものであり（上記ク参照）、これらの各処理は、パーツデータを変形する処理といえ、その処理のための手続きを記憶する変形手続き記憶部を備えることが当業者に明らかであるから、かかる変形手続き記憶部は、本願発明における「検索された前記パーツデータを変形させるための変形の手続きを記憶する変形手続き記憶部」に相当する。
　(f）同じく引用例に記載された発明におけるパーツ移動処理（図７、Ｓ８５）は、左右連動モードが設定されたとき、対のパーツを左右対称位置への移動対象パーツとして設定し、左右両方のパーツの移動量を算定し、左右対称位置へと移動させるものであり（上記ク参照）、前記移動処理のために、対となる一方（ある部位）のパーツデータの変形手続きと、対となる他方（他の部位）のパーツデータの変形手続きを定義する対パーツ変形定義部を備えることは当業者に明らかであるから、かかる対パーツ変形定義部は、検索された前記対パーツデータ中のある部位についてのパーツデータを変形させるための手続きと、該対パーツデータ中の他の部位についてのパーツデータを変形させるための手続きとが、「別個独立に定義される手続きである」か否かの点は別として、検索された前記対パーツデータ中のある部位についてのパーツデータを変形させるための手続きと、該対パーツデータ中の他の部位についてのパーツデータを変形させるための手続きとからなる変形の手続きを定義するという点で、本願発明の「対パーツ変形定義部」と一致する。
　(g)同じく引用例に記載された発明におけるパーツサイズ変更処理（図６、Ｓ５５）は、指定したパーツのサイズを変更するものであり（上記オ参照）、また、パーツ移動処理（図７，Ｓ８５）は、左右非連動モードでは移動対象パーツを前記変形手続き記憶部の手続きにより移動し、左右連動モードでは、対となる移動対象パーツを移動するものである（上記ク参照）から、かかるパーツサイズ変更処理及びパーツ移動処理は、本願発明における「前記パーツ選択部において検索された前記パーツデータまたは前記対パーツデータを変形するときの変形指示に基づいて前記変形手続き記憶部の手続きまたは前記対パーツ変形定義部の手続きにより変形を施すパーツ変形部」に相当する。
  (h)同じく引用例に記載された発明におけるモンタージュ画像表示手段は、パーツ変形部において変形されたパーツデータ又は対パーツデータを表示するものである（上記イ参照）から、本願発明における「前記パーツ変形部において変形された前記パーツデータまたは前記対パーツデータを表示装置に描画するパーツ表示部」に相当する。
　したがって、両者は、
「顔の部位を選択し変形して似顔絵を作成する似顔絵作成装置において、
　顔の部位毎にあらかじめ作成した似顔絵の部品であるパーツデータを記憶するパーツ記憶部と、
　前記パーツ記憶部に記憶されたある部位についての前記パーツデータと他の部位についての前記パーツデータとを対パーツデータとして定義する対パーツ定義部と、
　描画する前記パーツデータの選択指示に基づいて前記パーツ記憶部または前記対パーツ定義部から該当する前記パーツデータまたは前記対パーツデータを検索するパーツ選択部と、
　検索された前記パーツデータを変形させるための変形の手続きを記憶する変形手続き記憶部と、
　検索された前記対パーツデータ中のある部位についてのパーツデータを変形させるための手続きと、該対パーツデータ中の他の部位についてのパーツデータを変形させるための手続きとからなる変形の手続きを定義する対パーツ変形定義部と、
　前記パーツ選択部において検索された前記パーツデータまたは前記対パーツデータを変形するときの変形指示に基づいて前記変形手続き記憶部の手続きまたは前記対パーツ変形定義部の手続きにより変形を施すパーツ変形部と、
　前記パーツ変形部において変形された前記パーツデータまたは前記対パーツデータを表示装置に描画するパーツ表示部と、を備えることを特徴とする似顔絵作成装置。」
である点で一致し、次の各点で相違する。
　(1)本願発明における「対パーツ定義部」は、「前記パーツ記憶部に記憶されたある部位についての前記パーツデータとそれとは別個独立に作成された他の部位についての前記パーツデータとを対パーツデータとして定義する」のに対し、引用例に記載された発明の対パーツ定義部は、左右対称のパーツを対のパーツとして定義している点。
　(2)本願発明の「対パーツ変形定義部」は、「対パーツデータ中の他の部位についてのパーツデータを変形させるための手続き」が「検索された前記対パーツデータ中のある部位についてのパーツデータを変形させるための手続」とは「別個独立に定義される手続き」であるのに対し、引用例に記載された発明における対パーツ変形定義部は、上記各手続きが別個独立に定義されるのかどうか不明である点。
４.当審の判断                             
　　相違点(1)について。
　引用例に記載された発明は、左右対称のパーツを対のパーツとして定義しているが、実際の人間の顔というのは必ずしも左右対称ではなく、例えば、右目と左目の形状は多少異なるのが普通であり、また、似顔絵作成においては実際の人間の顔により似た顔を作成することが要求されるから、左右対称のパーツに代え、別個独立に作成された、実際の人間の顔に近いパーツを対のパーツとして定義することは、当業者が容易に想到し得ることである。また、引用例に記載された発明では、パーツサイズ変更処理（図６、Ｓ５５）において、図２２（Ｂ）に示されるように、左右の目のサイズを異なるサイズに変更でき、その後、左右連動モードで移動対象パーツとして例えば左目を設定すると、サイズ変更後の前記左右の目（図２２（Ｂ））が、対となって同時に移動し得るものとなっており、左右対称ではない実際の人間の顔に近い対のパーツを同時に移動し得る構成が記載されているから、この記載から見ても、別個独立に作成された、実際の人間の顔に近いパーツを対のパーツとして定義することは当業者が容易に想到し得ることである。
　したがって、「前記パーツ記憶部に記憶されたある部位についての前記パーツデータとそれとは別個独立に作成された他の部位についての前記パーツデータとを対パーツデータとして定義する」ことは、当業者が格別の創意工夫を要することなく成し得ることである。
　相違点(2)について。
 引用例に記載された発明におけるパーツ移動処理（図７、Ｓ８５）は、前述したように、左右連動モードが設定されたとき、対のパーツを左右対称位置への移動対象パーツとして設定し、左右両方のパーツの移動量を算定し、左右対称位置へと移動させるものであり（上記ク参照）、前記移動処理のために、対となる一方（ある部位）のパーツデータの変形手続きと、対となる他方（他の部位）のパーツデータの変形手続きを定義する対パーツ変形定義部を備えることが当業者に明らかである。
　引用例に記載された発明における対パーツ変形定義部は、検索された前記対パーツデータ中のある部位についてのパーツデータを変形させるための手続きと、該対パーツデータ中の他の部位についてのパーツデータを変形させるための手続きとが、「別個独立に定義される手続きである」か否かが不明であるが、検索されパーツデータ中のある部位についてのパーツデータの変形処理と、他の部位についてのパーツデータの変形処理は、引用例の図３０（Ａ）の顔を同図（Ｃ）のように目の間隔の狭い顔に変更する場合の例から明らかなように、左右の目の変形処理の相違により、その変形処理も左目（ある部位）と右目（他の部位）とで異なるから、これらの変形処理を別個独立に定義される手続きとすること、すなわち、「対パーツ変形定義部」を「対パーツデータ中の他の部位についてのパーツデータを変形させるための手続き」が「検索された前記対パーツデータ中のある部位についてのパーツデータを変形させるための手続」とは「別個独立に定義される手続き」とすることは、当業者が格別の創意工夫を要することなくなし得ることである。
　そして、本願発明の構成によりもたらされる効果も引用例から当業者が容易に予測し得る程度のものであり、格別のものではない。
５.むすび
　以上のとおりであるから、本願発明は、引用例に記載された発明に基いて当業者が容易に発明をすることができたものと認められるので、特許法第２９条第２項の規定により、特許を受けることができない。
　よって、結論のとおり審決する。